(57)【要約】【課題】顕微鏡画像の改竄を困難とすること。【解決手段】本発明の顕微鏡画像撮影装置１は、顕微鏡１０と、この顕微鏡１０で観察する画像をデジタル化された画像データとして記録する撮影装置２０とを有し、撮影装置２０は、撮影する顕微鏡画像に所定の画像、文字、図形、または符号を写し込むレチクル２３と、改竄防止機能を備える記録媒体２２と、を有する。【選択図】図１
2015219457.tif 000002
【特許請求の範囲】
【請求項１】
顕微鏡と、この顕微鏡で観察する画像をデジタル化された画像データとして記録する撮影装置とを有する顕微鏡画像撮影装置において、
前記撮影装置は、
撮影する顕微鏡画像に所定の画像、文字、図形、または符号を写し込む手段と、
画像の撮影に際し、衛星測位システムから位置情報および時刻情報を取得して撮影する前記顕微鏡画像の画像データに付加する手段と、
前記画像データおよび前記画像データに付加された前記位置情報および前記時刻情報を記録する改竄防止機能を備える記録媒体と、
を有する、
ことを特徴とする顕微鏡画像撮影装置。
【請求項２】
請求項１記載の顕微鏡画像撮影装置において、
前記写し込む手段は、所定の画像、文字、図形、または符号が書き込まれたレチクルを有する、
ことを特徴とする顕微鏡画像撮影装置。
【請求項３】
顕微鏡と、この顕微鏡で観察する画像をデジタル化された画像データとして記録する撮影装置とを有する顕微鏡画像撮影装置において、
前記撮影装置は、
撮影する顕微鏡画像にレチクルに書き込まれた所定の画像、文字、図形、または符号を写し込む手段と、
前記写し込む手段で写し込まれた画像データを記録する改竄防止機能を備える記録媒体と、
を有することを特徴とする顕微鏡画像撮影装置。
【請求項４】
請求項１から３のいずれか記載の顕微鏡画像撮影装置であって、
前記レチクルの表面に方向がランダムな複数の直線又は曲線が書き込まれた
ことを特徴とする顕微鏡画像撮影装置。
【請求項５】
請求項１から３のいずれか記載の顕微鏡画像撮影装置であって、
レチクル表面に複数の線が書き込まれ、線ごと又は線の途中で太さが変化する
ことを特徴とする顕微鏡画像撮影装置。
【請求項６】
顕微鏡と、この顕微鏡で観察する画像をデジタル化された画像データとして記録する撮影装置とを有する顕微鏡画像撮影装置で用いられるレチクルであって、
表面にその方向がランダムな複数の直線又は曲線が書き込まれた
ことを特徴とするレチクル。
【請求項７】
顕微鏡と、この顕微鏡で観察する画像をデジタル化された画像データとして記録する撮影装置とを有する顕微鏡画像撮影装置で用いられるレチクルであって、
表面に複数の線が書き込まれ、線ごと又は線の途中で太さが変化する
ことを特徴とするレチクル。
【請求項８】
顕微鏡と、この顕微鏡で観察する画像をデジタル化された画像データとして記録する撮影装置とを有する顕微鏡画像撮影装置が実行する画像データ改竄防止方法において、
前記撮影装置が、
撮影する顕微鏡画像に所定の画像、文字、図形、または符号を写し込むステップと、
撮影する顕微鏡画像にレチクルに書き込まれた所定の画像、文字、図形、または符号を写し込むステップと、
前記写し込まれた画像データを記録媒体に記録するステップと、
を有することを特徴とする画像データ改竄防止方法。
【発明の詳細な説明】
【技術分野】
【０００１】
本発明は、顕微鏡画像撮影装置、レチクルおよび画像データ改竄防止方法に関する。
【背景技術】
【０００２】
顕微鏡で観察した画像をデジタルカメラで撮影し、その画像データをパーソナルコンピュータに取り込み、詳細な観測や画像解析を行うことができる（たとえば特許文献１参照）。
【先行技術文献】
【特許文献】
【０００３】
【特許文献１】特開２０１４−５９４４８号公報
【発明の概要】
【発明が解決しようとする課題】
【０００４】
顕微鏡で観察した画像をデジタル化した画像データとして扱うことにより、画像データの解析や画像データの保存などが容易になる。一方で、画像データの複写や加工も容易になるため改竄が行われ易い。また、画像データが改竄されてもこれを看破することが現状では困難である。
【０００５】
本発明は、このような背景の下に行われたのであって、画像データの改竄を困難とすることができる顕微鏡画像撮影装置、レチクルおよび画像データ改竄防止方法を提供することを目的とする。
【課題を解決するための手段】
【０００６】
本発明は、顕微鏡と、この顕微鏡で観察する画像をデジタル化された画像データとして記録する撮影装置とを有する顕微鏡画像撮影装置において、撮影装置は、撮影する顕微鏡画像に所定の画像、文字、図形、または符号を写し込む手段と、画像データを記録する改竄防止機能を備える記録媒体と、を有するものである。
【０００７】
たとえば、写し込む手段は、所定の画像、文字、図形、または符号が書き込まれたレチクル（ミクロメータ）を有することができ、また、画像データに衛星測位システムからの位置情報および時刻情報を取得して顕微鏡画像の画像データに付加する手段を備えることができる。また、レチクルには、方向がランダムな複数の直線あるいは曲線を書き込むことができ、これらの線の太さを変化させ、あるいは点線で書き込むことができる。
【０００８】
本発明の他の観点は、顕微鏡と、この顕微鏡で観察する画像をデジタル化された画像データとして記録する撮影装置とを有する顕微鏡画像撮影装置が実行する画像データ改竄防止方法において、撮影装置が、撮影する顕微鏡画像に所定の画像、文字、図形、または符号を写し込むステップと、写し込まれた画像データを改竄防止機能を備える記録媒体に記録するステップと、を有するものである。
【発明の効果】
【０００９】
本発明によれば、顕微鏡で観察した画像データの改竄を困難とすることができる。また、画像データの無断転載、流用を抑止することができる。
【図面の簡単な説明】
【００１０】
【図１】本発明の実施の形態に係る顕微鏡画像撮影装置の全体構成図である。
【図２】図１のアダプタを示す図であり、レチクルのアダプタへの取り付け手順を併せて示す図である。
【図３】図１の制御部の動作を示すフローチャートである。
【図４】図１のレチクルの一例であり指紋を写し込むための例を示す図である。
【図５】図４のレチクルを用いた画像の一例であり指紋が写し込まれた例を示す図である。
【図６】図１のレチクルの一例であり文字を写し込むための例を示す図である。
【図７】図６のレチクルを用いた画像の一例であり文字が写し込まれた例を示す図である。
【図８】図１のレチクルの一例であり六角形の画像を写し込むための例を示す図である。
【図９】図８のレチクルを用いた画像の一例であり六角形の図形が写し込まれた例を示す図である。
【図１０】図１のレチクルの一例であり＋の図形を写し込むための例を示す図である。
【図１１】図１０のレチクルを用いた画像の一例であり＋の図形が写し込まれた例を示す図である。
【図１２】図１のレチクルの一例であり方向がランダムの直線を写し込むための例を示す図である。
【図１３】図１２のレチクルを用いた画像の一例であり方向がランダムの直線が写し込まれた例を示す図である。
【図１４】図１のレチクルの一例でありほぼ縦方向の直線を写し込むための例を示す図である。
【図１５】図１４のレチクルを用いた画像の一例でありほぼ縦方向の直線が写し込まれた例を示す図である。
【図１６】図１のレチクルの一例であり所定のマークを写し込むための例を示す図である。
【図１７】図１６のレチクルを用いた画像の一例であり所定のマークが写し込まれた例を示す図である。
【図１８】図１のレチクルの一例であり２次元バーコードを写し込むための例を示す図である。
【図１９】図１８のレチクルを用いた画像の一例であり２次元バーコードが写し込まれた例を示す図である。
【図２０】図１２のレチクルの直線を異なる太さの直線で描いたものを拡大して表したものであり、１本の直線が異なる太さで描かれている図である。
【図２１】図２０の直線を点線で描いた例を示す図である。
【図２２】図１２のレチクルの直線に代えて曲線で描いた例を示す図である。
【発明を実施するための形態】
【００１１】
本発明の顕微鏡画像撮影装置１は、光学的に観察対象物を観察する顕微鏡１０と、この顕微鏡１０で観察した画像をデジタル化された画像データとして記録する撮影装置２０と、を有する。
【００１２】
撮影装置２０は、撮影する顕微鏡画像に所定の画像、文字、図形、または符号を写し込むレチクル（ミクロメータ）２３と、画像の撮影に際し、ＧＰＳ(Global Positioning System)などの衛星測位システムから位置情報および時刻情報を取得して撮影する顕微鏡画像の画像データに付加するＧＰＳ情報付加部２１と、画像データおよび画像データに付加された位置情報および時刻情報を記録する改竄防止機能を備える記録媒体２２と、を有する。さらに、撮影装置２０は、ＧＰＳ情報付加部２１、記録媒体２２およびレチクル２３の装着の有無の確認を制御する制御部２４を有する。なお、上述のＧＰＳは衛星測位システムの一例であり、ＧＰＳ以外の例えば準天頂衛星等の衛星測位システムを用いてもよい。
【００１３】
撮影装置２０は、ＣＣＤ(Charge Coupled Device) またはＣ−ＭＯＳイメージセンサを有するデジタルカメラである。顕微鏡画像の撮影に際しては、デジタルカメラである撮影装置２０には、レンズに代えてアダプタ２５が装着される。アダプタ２５には、レチクル２３を挿入するための挿入孔２６を有する。アダプタ２５の一端は、顕微鏡１０の画像撮影用直筒２７の所定の取付孔に接続され、他端は、撮影装置２０側のレンズ取付孔に接続される。これにより、顕微鏡１０の観察対象物の画像が撮影装置２０のＣＣＤまたはＣ−ＭＯＳイメージセンサ上に結像するための適切な焦点距離を得ることができる。
【００１４】
レチクル２３は、図２に示すように、ホルダ２３ａに嵌め込まれ、アダプタ２５の挿入孔２６に差し込まれる。レチクル２３をアダプタ２５から取り出すときには、レチクル２３を差し込んだ側とは反対側の挿入孔２６から指などでホルダ２３ａを押し出すことでレチクル２３およびホルダ２３ａを取り出すことができる。なお、レチクル２３は、アダプタ２５の先端にねじなどで取り付けるものでもよい。以下では、説明を簡単にするために、図２以外ではホルダ２３ａの図示は省略すると共に、レチクル２３とホルダ２３ａとを一体的にレチクル２３として説明する。
【００１５】
ＧＰＳ情報付加部２１は、ＧＰＳ衛星からの電波を受信することにより、撮影装置２０の位置情報と時刻情報を取得する。さらに、ＧＰＳ情報付加部２１は、撮影装置２０が撮影した画像データに対し、ＧＰＳ衛星から取得した位置情報および時刻情報を付加することにより対応付ける。たとえば、画像データ内の書込可能な未使用領域に、取得した位置情報および時刻情報を書き込むことで、画像データと取得した位置情報および時刻情報とを対応付ける。
【００１６】
記録媒体２２は、たとえば、改竄防止機能を有するＳＤカードであり、記録媒体は、パーソナルコンピュータ（ＰＣ）などを介さず直接撮影装置２０からの記録のみを受け付け、パーソナルコンピュータからのデータなど改竄の可能性のあるデータの書き込みは不可とする。データの読み出しに関しては特に制限を設けず、汎用機器による読み出しは可能とする。改竄防止機能を有するＳＤカードは、いったん記録された画像データその他の情報は、読み出しはできるが、上書きや変更ができない。
【００１７】
ＧＰＳ情報付加部２１および制御部２４は、撮影装置２０内の情報処理装置の機能の一部である。すなわち、ＧＰＳ情報付加部２１および制御部２４は、情報処理装置が予めインストールされている所定のプログラムを実行することによって実現することができる。このような情報処理装置は、たとえば、不図示のメモリ、ＣＰＵ(Central Processing Unit)、入出力ポートなどを有する。情報処理装置のＣＰＵは、メモリなどから所定のプログラムとして制御プログラムを読み込んで実行する。これにより、情報処理装置には、ＧＰＳ情報付加部２１および制御部２３の機能が実現される。なお、ＣＰＵの代わりにＡＳＩＣ(Application Specific Integrated Circuit)、マイクロプロセッサ（マイクロコンピュータ）、ＤＳＰ(Digital Signal Processor)などを用いてもよい。
【００１８】
また、上述の所定のプログラムは、撮影装置２０の出荷前に、情報処理装置のメモリなどに記憶されたものであっても、撮影装置２０の出荷後に、情報処理装置のメモリなどに記憶されたものであってもよい。また、プログラムの一部が、撮影装置２０の出荷後に、情報処理装置のメモリなどに記憶されたものであってもよい。撮影装置２０の出荷後に、情報処理装置のメモリなどに記憶されるプログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００１９】
また、上述の所定のプログラムは、情報処理装置によって直接実行可能なものだけでなく、ハードディスクなどにインストールすることによって実行可能となるものも含む。また、圧縮されたり、暗号化されたりしたものも含む。
【００２０】
次に、顕微鏡画像撮影装置１の制御部２４の動作について、図３のフローチャートを参照しながら説明する。図３は、制御部２４の動作を示すフローチャートである。
【００２１】
撮影装置２０の電源がＯＮ状態に操作されると、図３のフローチャートはスタートし、処理は、ステップＳ１に進む。
【００２２】
ステップＳ１において、制御部２４は、レチクル２３が装着されたか否かを判定する。ステップＳ１において、レチクル２３が装着されたと判定されると、処理は、ステップＳ２に進む。一方、ステップＳ１において、レチクル２３が未装着であると判定されると、処理は、ステップＳ１を繰り返す。なお、レチクル２３は、アダプタ２５の挿入孔２６に挿入されて装着されるが、撮影装置２０は、レチクル２３の装着の有無を確認するためのセンサを挿入孔２６に備えるものとする。
【００２３】
ステップＳ２において、制御部２４は、ＧＰＳ情報付加部２１がＧＰＳ衛星からＧＰＳ情報として位置情報および時刻情報を取得したか否かを判定する。ステップＳ２において、ＧＰＳ情報を取得したと判定されると、処理は、ステップＳ３に進む。一方、ステップＳ２において、ＧＰＳ情報を未だ取得していないと判定されると、処理は、ステップＳ２を繰り返す。
【００２４】
ステップＳ３において、制御部２４は、撮影装置２０の不図示の表示部に、撮影可を表示する。たとえば、表示部は発光ダイオードなどのインジケータランプであって、撮影装置２０に撮影可のときに点灯または点滅する。または、表示部は音響信号発生器であって、撮影装置２０が撮影可のときに所定の音によって撮影可を知らせてもよい。ステップＳ３において、表示部に撮影可の表示が行われると、処理は、ステップＳ４に進む。なお、このときユーザは、表示部の表示が撮影可を表示していることを確認すると、顕微鏡画像の撮影を行う。
【００２５】
ステップＳ４において、制御部２４は、撮影装置２０による撮影が終了したか否かを判定する。ステップＳ４において、撮影装置２０による撮影が終了したと判定されると、処理は、ステップＳ５に進む。一方、ステップＳ４において、撮影装置２０による撮影が未だ終了していないと判定されると、処理は、ステップＳ４を繰り返す。
【００２６】
ステップＳ５において、制御部２４は、ＧＰＳ情報付加部２１が画像データにＧＰＳ情報としての位置情報および時刻情報を対応付けられたか否かを判定する。ステップＳ５において、画像データに位置情報および時刻情報が対応付けられたと判定されると、処理は、ステップＳ６に進む。一方、ステップＳ５において、画像データに未だ位置情報および時刻情報が対応付けられていないと判定されると、処理は、ステップＳ５を繰り返す。
【００２７】
ステップＳ６において、制御部２４は、画像データを記録媒体２２に記録して処理を終了する（ＥＮＤ）。
【００２８】
ここで、顕微鏡画像に所定の画像、文字、図形、または符号を写し込むためのレチクル２３の例と顕微鏡画像に写し込まれた所定の画像、文字、図形、または符号の例を図４〜図２２を参照しながら説明する。
【００２９】
顕微鏡画像に対して所定の画像として指紋３０を写し込むためのレチクル２３の例を図４に示す。図４の例では、レチクル２３の右下に指紋３０が書き込まれている。顕微鏡画像に対して所定の画像として指紋３０ａが写し込まれた例を図５に示す。図４に示すレチクル２３を用いることにより、図５の例では、画像の右下に指紋３０ａが写し込まれている。なお、この指紋３０，３０ａは、顕微鏡画像撮影装置１で、観察対象物の観察を行っているユーザのものや観察対象物の所有者などのものである。これにより、画像データの撮影者や所有者を明確にすることができる。
【００３０】
顕微鏡画像に対して文字３１を写し込むためのレチクル２３の例を図６に示す。図６の例では、レチクル２３の右下に文字３１として「ＡＢＣＤＥ」が書き込まれている。顕微鏡画像に対して文字３１ａが写し込まれた例を図７に示す。図６に示すレチクル２３を用いることにより、図７の例では、画像の右下に文字３１ａとして「ＡＢＣＤＥ」が写し込まれている。なお、この文字３１，３１ａは、顕微鏡画像撮影装置１で、観察対象物の観察を行っているユーザや観察対象物の所有者などを識別可能とするものである。これにより、画像データの撮影者や所有者を明確にすることができる。
【００３１】
顕微鏡画像に対して図形を写し込むためのレチクル２３の例を図８に示す。図８の例では、レチクル２３全体にハニカム構造の複数の六角形が書き込まれている。顕微鏡画像に対してハニカム構造の複数の六角形が写し込まれた例を図９に示す。図８に示すレチクル２３を用いることにより、図９の例では、画像全体にハニカム構造の複数の六角形が写し込まれている。なお、この図形は、顕微鏡画像撮影装置１で、観察対象物の観察を行っているユーザや観察対象物の所有者などが独自に設定するものである。これにより、画像データの撮影者や所有者を明確にすることができる。また、画像全体に線が行き交うことで、画像の部分的な抽出や部分的な差し替えなどの加工を困難にすることができる。さらに、異なる観察対象物を撮影した画像データ同士で同じ撮影箇所を比較するときの目印とすることもできる。
【００３２】
顕微鏡画像に対して他の図形を写し込むためのレチクル２３の例を図１０に示す。図１０の例では、レチクル２３全体に複数の「＋」が書き込まれている。顕微鏡画像に対して複数の「＋」が写し込まれた例を図１１に示す。図１０に示すレチクル２３を用いることにより、図１１の例では、画像全体に複数の「＋」が写し込まれている。なお、この図形は、図９に示すハニカム構造の複数の六角形と同様に、顕微鏡画像撮影装置１で、観察対象物の観察を行っているユーザや観察対象物の所有者などが独自に設定するものである。これにより、画像データの撮影者や所有者を明確にすることができる。また、画像全体に多数の「＋」のマークが配置されることで、画像の部分的な抽出や部分的な差し替えなどの加工を困難にすることができる。さらに、異なる観察対象物を撮影した画像データ同士で同じ撮影箇所を比較するときの目印とすることもできる。
【００３３】
顕微鏡画像に対してさらに他の図形を写し込むためのレチクル２３の例を図１２に示す。図１２の例では、レチクル２３全体に方向がランダムの複数の直線が書き込まれている。顕微鏡画像に対して方向がランダムの複数の直線が写し込まれた例を図１３に示す。図１２に示すレチクル２３を用いることにより、図１３の例では、画像全体に方向がランダムの複数の直線が写し込まれている。なお、この図形は、顕微鏡画像撮影装置１で、観察対象物の観察を行っているユーザや観察対象物の所有者などが独自に設定するものである。特に、直線のランダムな方向設定により、他の写し込みと区別することが容易になる。これにより、画像データの撮影者や所有者を明確にすることができる。また、画像全体に線が行き交うことで、画像の部分的な抽出や部分的な差し替えなどの加工を困難にすることができる。
【００３４】
顕微鏡画像に対してさらに他の図形を写し込むためのレチクル２３の例を図１４に示す。図１４の例では、レチクル２３全体にほぼ縦方向の複数の直線が書き込まれている。顕微鏡画像に対してほぼ縦方向の複数の直線が写し込まれた例を図１５に示す。図１４に示すレチクル２３を用いることにより、図１５の例では、画像全体にほぼ縦方向の複数の直線が写し込まれている。なお、この図形は、顕微鏡画像撮影装置１で、観察対象物の観察を行っているユーザや観察対象物の所有者などが独自に設定するものである。直線の僅かな傾きや直線同士の僅かな間隔の差異などにより、他の写し込みと区別することが容易になる。これにより、画像データの撮影者や所有者を明確にすることができる。また、画像全体に線が行き交うことで、画像の部分的な抽出や部分的な差し替えなどの加工を困難にすることができる。
【００３５】
顕微鏡画像に対して所定のマーク３２を写し込むためのレチクル２３の例を図１６に示す。図１６の例では、レチクル２３の右下に所定のマーク３２が書き込まれている。顕微鏡画像に対して所定のマーク３２ａが写し込まれた例を図１７に示す。図１６に示すレチクル２３を用いることにより、図１７の例では、画像の右下に所定のマーク３２ａが写し込まれている。なお、このマーク３２，３２ａは、顕微鏡画像撮影装置１で、観察対象物の観察を行っているユーザや観察対象物の所有者などを識別可能なものである。これにより、画像データの撮影者や所有者を明確にすることができる。
【００３６】
顕微鏡画像に対して所定の符号として２次元バーコード３３を写し込むためのレチクル２３の例を図１８に示す。図１８の例では、レチクル２３の右下に２次元バーコード３３が書き込まれている。顕微鏡画像に対して所定の符号として２次元バーコード３３ａが写し込まれた例を図１９に示す。図１８に示すレチクル２３を用いることにより、図１９の例では、画像の右下に２次元バーコード３３ａが写し込まれている。なお、この２次元バーコード３３，３３ａは、顕微鏡画像撮影装置１で、観察対象物の観察を行っているユーザや観察対象物の所有者などの詳細な情報を読み取り可能とするものである。これにより、画像データの撮影者や所有者を明確にすることができる。
【００３７】
このように、撮影装置２０により撮影される画像データには、いつ（時刻情報）、どこで（位置情報）、誰が（レチクル２３による写し込み）、なにを（画像）、撮影したかの情報が含まれることになる。これにより、画像情報の改竄を行おうと企ててもこれら複数種類の情報の全てを改竄することは困難である。
【００３８】
たとえば、顕微鏡画像撮影装置１の撮影装置２０は、画像の撮影に際し、ＧＰＳから位置情報および時刻情報を取得して撮影した画像の画像データに対応付けるＧＰＳ情報付加部２１を有するので、画像を撮影した場所が特定できると同時に、ＧＰＳ衛星から送られる正確な時刻情報を画像データに対応付けることができる。これによれば、特定の時刻に特定の位置で撮影された画像データを他の画像データと区別することが容易になるため画像データの改竄を困難にすることができる。
【００３９】
また、画像データおよび画像データに対応付けられた位置情報および時刻情報を記録する改竄防止機能を備える記録媒体２２を有するので、いったん記録媒体２２に記録された画像データその他の情報は、読み出しはできるが、上書きや変更ができない。これによれば、いったん記録媒体２２に記録された画像データをその記録媒体２２の中では改竄することが困難となるため画像データの改竄を困難にすることができる。
【００４０】
また、顕微鏡１０で観察する画像に所定の画像、文字、図形、または符号を写し込むレチクル２３を有するので、画像データの撮影者や所有者を特定することが容易になり画像データの改竄を困難にし、画像データの無断転載や流用の抑止となる。レチクル２３による写し込みは、デジタル化される以前の画像、すなわちアナログデータに対して行われる。このため、画像データからレチクル２３による写し込みを消去することは難しい。画像データから所定のデジタルデータを削除するといったデジタル処理では、レチクル２３による写し込みを消去することは困難である。たとえば、レチクル２３による写し込みを有する画像データをパーソナルコンピュータの画面上に表示させ、これを人が手作業で消去していくといったアナログ的な作業が必要になる。また、レチクル２３による写し込みを消去した後の画像データから写し込みを消去した形跡を無くす作業にもアナログ的な作業が必要になり時間を要する。このため、レチクル２３による写し込みは、画像データの改竄を防止するだけでなく、無断転載や流用の抑止効果も有する。
【００４１】
さらに、レチクルの所定の画像、文字、図形、または符号が写し込まれた画像データは、目視でのオリジナルデータとの比較検証が容易である。このため、改竄防止用メモリカードに保存された撮影日時、場所、所有者等の情報を重ね合わせることで、信頼性の検証が可能となる効果がある。
【００４２】
上述のレチクル２３に描かれる直線等の線分は、０．０５ｍｍ〜０．０２ｍｍ程度の細さのペンを用いて、レチクル２３の表面に線を描いて書き込むことができる。また、線分は、レチクル２３の表面に蒸着やエッチング等の表面処理により描いたり、あるいはカッターでカッティッグして描くことも可能である。
【００４３】
次に、図１２に示したレチクル２３全体に方向がランダムの複数の直線を書き込んだ実施の形態のさらに別の実施の形態を図２０として示す。この図２０は、図１２の直線部分を異なる太さ（線幅）で描いたものを拡大して表したものであり、複数の直線の太さをそれぞれ異なる太さにしている。レチクル２３にスケールやクロスとして描かれる線分は、その太さが０．０５ｍｍ〜０．０２ｍｍである。この場合、１本の直線を途中で異なる太さにしてもよく、また、複数の直線の太さを異なるものとし、かつ１本の直線の太さを変化させるようにしてもよい。これにより、レチクル２３に描かれた直線の太さが変化し、目視では単に同一の直線と見えて一見して違いは分からないが、拡大すればその違いが判明する。このように、直線の太さの組み合わせは多数生ずるため、線が描かれたレチクル２３そのものの複写を作ることが困難になる。よって画像データの改竄がさらに困難になる。また、レチクル２３の複製が困難でレチクルに描かれた模様（線の太さの組み合わせ）が画像データの撮影者や撮影対象物の所有者を特定することになるため、いったん撮影された画像を無断で転載、流用することが抑止される。また、図１４に示した縦方向の複数の直線が書き込まれた実施の形態の直線も太さの異なる直線で描く場合もレチクル２３の複製が困難になることからさらなる改竄の防止、無断転載の抑止、流用の抑止の効果がある。
【００４４】
図２１は、図２０の直線を点線にしたものである。この場合も、線の太さを変化させたのと同様に、目視では単なる直線に見え、一見して違いが分からなくても、点線が描かれたレチクル２３の複製は困難になり、改竄防止効果、無断転載、流用の抑止の効果がある。
【００４５】
図２２は、図１２の方向がランダムな複数の直線をレチクル２３の表面全体に書き込んだ実施の形態を、直線に代えて曲線を書き込んだものである。この場合も、図１２の場合と同じく、描いた線の組み合わせは無数にあり、また、曲線が写し込まれた画像データの改竄作業は時間を要するので、改竄防止の効果があり、無断転載や流用の抑止効果がある。また、曲線の太さを変化させたり、曲線を点線で書き込むことにより、撮影した画像データの改竄をより困難にできる。
【００４６】
（その他の実施の形態）
上述した実施の形態は、その要旨を逸脱しない限りにおいて、様々に変更が可能である。たとえば、レチクル２３により顕微鏡画像に写し込むものとして、上述した例の他にもホログラムや透かしといったものを写し込んでもよい。また、レチクル２３を液晶パネルで構成し、写し込む文字や図形を外部入力によって、様々に変更するようにしてもよい。また、図１８の２次元バーコードに代えて１次元バーコードでもよい。その他にもレチクル２３により顕微鏡画像に写し込むものはレチクル２３上に書き込めるものであればどのようなものであってもよい。
【００４７】
上述の実施の形態の説明では、デジタルカメラでＧＰＳなどの衛星測位システムの位置情報および時刻情報を併せて記録する例で説明したが、いつ（ＷＨＥＮ）、どこで（ＷＨＥＲＥ）という情報がなくても、上述のように、レチクル２３に書かれたアナログの画像、文字、図形、符号を撮影した顕微鏡画像に写し込むことで、その顕微鏡画像の改竄が困難になるので、単にレチクルに書かれた文字、図形、符号等を撮影した画像を記録することでも改竄防止や無断転載抑止や流用抑止の効果がある。
【００４８】
また、上述の実施の形態の説明は、顕微鏡の画像撮影用鏡筒に取り付けるアダプタ２５にレチクル２３を装着する例で説明したが、顕微鏡の接眼光学系あるいは対物光学系、あるいは光路中間部に設けられているレチクル装着部に装着されるレチクルを写し込む例であってもよい。また、顕微鏡画像をデジタルカメラで撮影する例で説明したが、カメラは、ＣＣＤイメージセンサを用いたＣＣＤカメラやコンパクトカメラであってもよい。
【００４９】
また、アダプタ２５の挿入孔２６には、レチクル２３の装着の有無を検出するセンサを有するとして説明したが、このようなセンサは省略してもよい。センサを省略した場合には、図３のフローチャートのステップＳ１の判定は、ユーザが目視確認によって行う。
【００５０】
また、画像情報を記録した改竄防止機能を有するＳＤカードである記録媒体２２を入れるポケットを持ち、その画像情報がどのような目的で誰がいつ撮影したかという情報を表面に貼付できるファイルに入れて資料として保管することで、さらなる改竄の防止を期待することができる。
【符号の説明】
【００５１】
１…顕微鏡画像撮影装置、１０…顕微鏡、２０…撮影装置、２１…ＧＰＳ情報付加部（付加する手段）、２２…記録媒体、２３…レチクル（写し込む手段）、２４…制御部、２５…アダプタ、２６…挿入孔、２７…撮影用鏡筒、３０，３０ａ…指紋（画像）、３１，３１ａ…文字、３２，３２ａ…マーク（図形）、３３，３３ａ…２次元バーコード（符号）
【図１】
2015219457.tif 000003
【図２】
2015219457.tif 000004
【図３】
2015219457.tif 000005
【図４】
2015219457.tif 000006
【図５】
2015219457.tif 000007
【図６】
2015219457.tif 000008
【図７】
2015219457.tif 000009
【図８】
2015219457.tif 000010
【図９】
2015219457.tif 000011
【図１０】
2015219457.tif 000012
【図１１】
2015219457.tif 000013
【図１２】
2015219457.tif 000014
【図１３】
2015219457.tif 000015
【図１４】
2015219457.tif 000016
【図１５】
2015219457.tif 000017
【図１６】
2015219457.tif 000018
【図１７】
2015219457.tif 000019
【図１８】
2015219457.tif 000020
【図１９】
2015219457.tif 000021
【図２０】
2015219457.tif 000022
【図２１】
2015219457.tif 000023
【図２２】
2015219457.tif 000024